(57)【要約】【課題】ティッシュペーパー等の軽量の収容物を順次積み上げ収納した容器において、該収容物の残量が少なくなったとき、取り出し口から全ての収容物が容器内に落下したり、１度に何枚も引き出されたりすることを防止する、簡単で確実な底上げ機能を持つ容器を提供する。【解決手段】２１は表板、２３は裏板、２２，２４は側板、１１，１３，３１，３３は妻板であり、２５はのりしろである。妻板３１と妻板３３で前方の妻板を形成し、妻板１１と妻板１３で後方の妻板を形成している。裏板２３には左側板２２にかけて伸びた上下２本のミシン目と右側板２４にかけて延びた上下２本のミシン目とによって形成される補助押さえ部が形成されている。そして、裏板２３において、補助押さえ部のミシン目の内側に上下２本のミシン目が左端から右端まで形成されて押さえ部が形成されている。【選択図】        図３
2005067610.tif 000002
【特許請求の範囲】
【請求項１】
表板、裏板、左右一対の側板、前後一対の妻板からなり、前記表板または裏板から前記左右各側板にかけて形成された前後一対の破断線により形成された左右の補助押さえ部と、この補助押さえ部の内側の前記表板または裏板の右端近傍または右側板より左端近傍または左側板にかけて形成された前後一対の破断線により形成された押さえ部を有することを特徴とする底上げ機能を持つティッシュペーパー等の容器
【請求項２】
表板、裏板、左右一対の側板、前後一対の妻板からなり、前記表板または裏板から前記前後の妻板にかけて形成された左右一対の破断線により形成された前後の補助押さえ部と、この前後補助押さえ部の内側の前記表板または裏板の前端近傍または前妻板より後端近傍または後妻板にかけて形成された左右一対の破断線により形成された押さえ部を有することを特徴とする底上げ機能を持つティッシュペーパー等の容器
【発明の詳細な説明】
【０００１】
【発明の属する技術分野】
本発明はティッシュペーパー等の軽量の収容物を順次積み上げ収納した容器において、該収容物の残量が少なくなったときに、取り出し口から全ての収容物が容器内に落下したり、必要以上に重なって引き出されたり、或いは引き裂かれたりすることを防止し、容易かつ確実に、１枚ずつ引き出すための底上げ機能を持たせた容器に関するものである。
【０００２】
【従来の技術】
従来、ティッシュペーパー等を収納した容器は机上面等に水平に置くなどの条件でその殆どが使用されており、容器の上面の開口部から、１枚ずつ引き出され、順次積み上げ収納されているティッシュペーパー等が次々と開口部に引き出される機能を備えているが、残量が少なくなったときに、全部が自然と容器内に落下したり、引き出し動作時に引き裂かれたり、一度に数枚が引き出されるなどの問題を抱えていた。
【０００３】
これらの問題解決のため、相当量の発明提案がなされている。因みに特開２００１−３１５８６８号によると、ティッシュペーパー等の残量が少なくなったときに、底面と側板の一部をミシン目に沿って破断し、容器内に折り曲げて、押し上げる構造である。しかし、全ての内容物を取り出すまでには残量の変化に応じて、この手順を何回も繰り返す必要がある上に、時間の経過と共に残量ティッシュペーパー等の重みによって、或いは少しの弾みで押し上げ部分が押し戻されて元の状態に戻り、押し上げ効果を十分に発揮できないという問題があった。
【０００４】
また、特開平１０−１６７３５４号によると、容器の底面の一部を切り離し、少しずらして底面の一部と係合させる事により、くびれ部を形成してスプリング効果を利用するという発明で、有効な手段ではあるが、作業が面倒であり、切り離し等を慎重にしないと係合部が確実に整合しない事もあり、発明の効果を期待できない可能性がある。
【０００５】
さらに、実開平６−１４０８０号によると底面と側面部をミシン目等によって破断して、容器内に折り込む構造で内容物を押し上げているが、この方法では柔軟なティッシュペーパー等の中央部分が自身の重みで下がってくる上に、押し上げ作業を残量に応じて何度も行わねばならず、その度に箱が壊れていくという問題がある。
【０００６】
【特許文献】特開２００１−３１５８６８号公報
【特許文献】特開平１０−１６７３５４号公報
【特許文献】実開平６−１４０８０号公報
【発明が解決しようとする課題】
この様に底上げ機能に関して、いろいろな技術が提案されているが、個々に問題点があり、確実に、かつ、簡単に底上げ機能を果たす構造は提案されていない。
【０００７】
また、特開２００１−２２５８８１号の発明に見られるようにティッシュペーパーを容器の端部から引き出す構造とすることにより、壁面への縦方向の吊るし保持はもちろん、デスクや家具、冷蔵庫の側面など生活空間の隙間的場所のほか、病院などで伏せている要看護者がベッドのステップ等の垂直面に吊り下げて利用できるなど、新たな使用法が提案されている。この為、平面上の使用のみでなく、壁など垂直面に吊り下げられた場合でも使用可能な、簡単で、確実な底上げ機能を持つ容器の提案が待たれている。
【０００８】
本発明はこれらの問題を解決し、簡単に、確実に押し上げ機能を発揮するティッシュペーパー等の容器を提供することを目的とする。
【０００９】
【課題を解決するための手段】
本発明の底上げ機能を持つティッシュペーパー等の容器は表板、裏板、左右一対の側板、前後一対の妻板からなり、前記表板または裏板から前記左右各側板にかけて形成された前後一対の破断線により形成された左右の補助押さえ部と、この補助押さえ部の内側の前記表板または裏板の右端近傍または右側板より左端近傍または左側板にかけて形成された前後一対の破断線により形成された押さえ部を有することを特徴として構成されている。
【００１０】
本発明の底上げ機能を持つティッシュペーパー等の容器においては補助押さえ部の内側の、押さえ部を形成する破断線を容器の内側に押し込むと、破断線が破断して押さえ部が形成される。さらに、表板または裏板より左右の側板にかけて形成された補助押さえ部を形成する破断線を容器の内側に押し込むと、破断線が破断して、補助押さえ部が形成される。この時、押さえ部は容器の内側に円弧状に湾曲した状態になっており、この押さえ部を補助押さえ部がさらに内側に押し込むと共に、この状態を固定する役目も果たしている。この押さえの２重構造により、ティッシュペーパー等の内容物は完全に容器の中で押し上げられた状態になり、自身の重みや弾みによって押し戻されることは無い。
【００１１】
【発明の実施の形態】
本発明の底上げ機能を持つティッシュペーパー等の容器は表板または裏板より左右の側板にかけて、補助押さえ部を形成する前後一対の破断線が形成されている。また、表板または裏板の前記補助押さえ部の内側には、右端部より左端部まで押さえ部を形成する前後一対の破断線が形成されている。この破断線は押さえ部を形成するためのものであり、左右の側板にまで伸びて形成されてもよい。こうすることにより、内容物の種類に応じて、押さえ部の押さえる力を調整できる。
【００１２】
前記押さえ部と補助押さえ部は表板または裏板と左右側板に形成されるのみならず、表板または裏板と前後の妻板にかけて形成することができる。すなわち、補助押さえ部を表板または裏板と前後の妻板にかけて、左右一対の破断線により形成し、押さえ部を補助押さえ部に囲まれた表板または裏板に、左右一対の破断線により形成するのである。この押さえ部を形成する破断線は前後の妻板にまで伸びて形成されてもよい。こうすることにより、内容物の長い面に沿って全体的に押し上げることができるようになる。
破断線は力を作用させることにより破断するものであれば特に限定されず、たとえば、ミシン目、破線とすることができる。
また、本発明の底上げ機能を持つティッシュペーパー等の容器に収容するものとしては、特に限定されず、たとえば、ティッシュペーパー、キッチンタオルなどがある。
本発明による底上げ機能を持つティッシュペーパー等の容器の第１の実施形態を図面を参照して説明する。
図１は底上げ機能を持つティッシュペーパー等の容器の斜視図、図２は底上げ機能を持つティッシュペーパー等の容器の展開図、図３は底上げ機能を持つティッシュペーパー等の容器を破断線により破断し、押さえ部、補助押さえ部を形成した状態の斜視図、図４は図３の状態を側板２４の方向から見た側面図、図５は図３の状態を裏板２３の方向から見た平面図、図６は図３の状態を妻板１１，１３の方向から見た断面図である。
図１および図２において、２１は表板、２３は裏板、２２，２４は側板、１１，１３，３１，３３は妻板であり２５はのりしろである。妻板３１と妻板３３で前方の妻板を構成し、妻板１１と妻板１３で後方の妻板を構成している。
裏板２３には左側板２２にかけて伸びた上下２本のミシン目１，３と、右側板２４にかけて伸びた上下２本のミシン目２，４とによって形成される補助押さえ部が形成されている。そして、裏板２３において、補助押さえ部のミシン目の内側に上下２本のミシン目５，６が左端から右端まで形成されて押さえ部が形成されている。
次に、以上のような底上げ機能を持つティッシュペーパー等の容器における押さえ部と補助押さえ部を形成する動作について説明する。
まず、ミシン目５，６で囲まれた押さえ部を手の先で容器の内側に押し込む。すると、ミシン目５，６が破断して、押さえ部４０が形成される。さらにミシン目１，３及びミシン目２，４を容器の内側に押し込むとミシン目１，３，２，４が破断して補助押さえ部が底板から左右の側板にかけて一対形成される。そしてこの時、押さえ部４０は補助押さえ部によって容器の内側へ湾曲した状態で、深く押し込まれると共に、この状態を固定されたロック状態となる。そのため、押さえ部自体が湾曲状態を変化させるクッション効果、スプリング効果を持つようになり、内容物の残量に応じた変化に柔軟に対応できるので、従来のように何度も底部を押し上げる必要もなく、内容物自体の重みによって押し戻され
るということのない底上げ機能を持った容器が出来上がる。
次に、本発明による底上げ機能を持つティッシュペーパー等の容器の第２の実施形態を図７を参照して説明する。図７は底上げ機能を持つティッシュペーパー等の容器の斜視図である。なお、この第２の実施形態は前記第１の実施形態と略同様な構造であるので、同一の部材に関しては同一の符号を付して説明する。
この図に示す底上げ機能を持つティッシュペーパー等の容器は、押さえ部および、補助押さえ部が妻板に略平行ではなく、側板に略平行に形成されている。裏板２３には妻板３３にかけて延びた左右２本のミシン目５３，５４と、妻板１３にかけて伸びた左右２本のミシン目５１，５２で形成される補助押さえ部が上部と下部に形成されている。そして、裏板２３には前記補助押さえ部のミシン目の内側に左右２本のミシン目５５，５６が上端より下端まで形成されており、押さえ部６０を形成している。
まず、ミシン目５５，５６で囲まれた押さえ部を手の先で容器の内側へ押し込む。すると、ミシン目５５，５６が破断して押さえ部６０が形成される。さらに、ミシン目５３，５４およびミシン目５１，５２を内部へ押し込むと、ミシン目５３，５４，５１，５２が破断して、補助押さえ部が形成される。こうすることにより、内容物の長辺に沿って全体的に押し上げることができるようになる。
押さえ部と補助押さえ部の仕組み、効果などは前記第１の実施形態と同様なので、省略する。
【００１３】
【発明の効果】
本発明は以上のように構成したので、手で押さえ部を形成する破断線を容器の内部に押し込み、さらに、補助押さえ部を構成する破断線を内部に押し込めば、きわめて簡単に、確実に底上げ機能を有する容器を形成することができる。そして、これは、平面上において使用する容器のみでなく、垂直面に吊り下げるなどして使用する容器においても同様の効果を発揮するので、内容物の中折れを完全に防止することができる。
【図面の簡単な説明】
【図１】本発明による底上げ機能を持つティッシュペーパー等の容器の第１の実施形態の斜視図である。
【図２】本発明による底上げ機能を持つティッシュペーパー等の容器の第１の実施形態を展開した状態の図である。
【図３】本発明による底上げ機能を持つティッシュペーパー等の容器を第１の実施形態において、破断線により破断し、押さえ部、補助押さえ部を形成した状態の斜視図である。
【図４】本発明による底上げ機能を持つティッシュペーパー等の容器の図３の状態を側板２４の方向から見た側面図である。
【図５】本発明による底上げ機能を持つティッシュペーパー等の容器の図３の状態を裏板２３の方向から見た平面図である。
【図６】本発明による底上げ機能を持つティッシュペーパー等の容器の図３の状態を妻板１１，１３の方向から見た断面図である。
【図７】本発明による底上げ機能を持つティッシュペーパー等の容器の第２の実施形態の斜視図である。
【符号の説明】
破断線
１１    妻板
１３    妻板
２１    表板
２２    側板
２３    裏板
２４    側板
２５    のりしろ
３１    妻板
３３    妻板
４０    押さえ部
５１，５２，５３，５４，５５，５６    破断線
６０    押さえ部
【図１】
2005067610.tif 000003
【図２】
2005067610.tif 000004
【図３】
2005067610.tif 000005
【図４】
2005067610.tif 000006
【図５】
2005067610.tif 000007
【図６】
2005067610.tif 000008
【図７】
2005067610.tif 000009
【手続補正書】
【提出日】平成15年9月1日(2003.9.1)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明はティッシュペーパー等の軽量の収容物を順次積み上げ収納した容器において、該収容物の残量が少なくなったときに、取り出し口から全ての収容物が容器内に落下したり、必要以上に重なって引き出されたり、或いは引き裂かれたりすることを防止し、容易かつ確実に、１枚ずつ引き出すための底上げ機能を持たせた容器に関するものである。
【０００２】
【従来の技術】
従来、ティッシュペーパー等を収納した容器は机上面等に水平に置くなどの条件でその殆どが使用されており、容器の上面の開口部から、１枚ずつ引き出され、順次積み上げ収納されているティッシュペーパー等が次々と開口部に引き出される機能を備えているが、残量が少なくなったときに、全部が自然と容器内に落下したり、引き出し動作時に引き裂かれたり、一度に数枚が引き出されるなどの問題を抱えていた。
【０００３】
これらの問題解決のため、相当量の発明提案がなされている。因みに特開２００１−３１５８６８号によると、ティッシュペーパー等の残量が少なくなったときに、底面と側板の一部をミシン目に沿って破断し、容器内に折り曲げて、押し上げる構造である。しかし、全ての内容物を取り出すまでには残量の変化に応じて、この手順を何回も繰り返す必要がある上に、時間の経過と共に残量ティッシュペーパー等の重みによって、或いは少しの弾みで押し上げ部分が押し戻されて元の状態に戻り、押し上げ効果を十分に発揮できないという問題があった。
【０００４】
また、特開平１０−１６７３５４号によると、容器の底面の一部を切り離し、少しずらして底面の一部と係合させる事により、くびれ部を形成してスプリング効果を利用するという発明で、有効な手段ではあるが、作業が面倒であり、切り離し等を慎重にしないと係合部が確実に整合しない事もあり、発明の効果を期待できない可能性がある。
【０００５】
さらに、実開平６−１４０８０号によると底面と側面部をミシン目等によって破断して、容器内に折り込む構造で内容物を押し上げているが、この方法では柔軟なティッシュペーパー等の中央部分が自身の重みで下がってくる上に、押し上げ作業を残量に応じて何度も行わねばならず、その度に箱が壊れていくという問題がある。
【０００６】
【特許文献】特開２００１−３１５８６８号公報
【特許文献】特開平１０−１６７３５４号公報
【特許文献】実開平６−１４０８０号公報
【０００７】
【発明が解決しようとする課題】
この様に底上げ機能に関して、いろいろな技術が提案されているが、個々に問題点があり、確実に、かつ、簡単に底上げ機能を果たす構造は提案されていない。
【０００８】
また、特開２００１−２２５８８１号の発明に見られるようにティッシュペーパーを容器の端部から引き出す構造とすることにより、壁面への縦方向の吊るし保持はもちろん、デスクや家具、冷蔵庫の側面など生活空間の隙間的場所のほか、病院などで伏せている要看護者がベッドのステップ等の垂直面に吊り下げて利用できるなど、新たな使用法が提案されている。この為、平面上の使用のみでなく、壁など垂直面に吊り下げられた場合でも使用可能な、簡単で、確実な底上げ機能を持つ容器の提案が待たれている。
【０００９】
本発明はこれらの問題を解決し、簡単に、確実に押し上げ機能を発揮するティッシュペーパー等の容器を提供することを目的とする。
【００１０】
【課題を解決するための手段】
本発明の底上げ機能を持つティッシュペーパー等の容器は表板、裏板、左右一対の側板、前後一対の妻板からなり、前記表板または裏板から前記左右各側板にかけて形成された前後一対の破断線により形成された左右の補助押さえ部と、この補助押さえ部の内側の前記表板または裏板の右端近傍または右側板より左端近傍または左側板にかけて形成された前後一対の破断線により形成された押さえ部を有することを特徴として構成されている。
【００１１】
本発明の底上げ機能を持つティッシュペーパー等の容器においては補助押さえ部の内側の、押さえ部を形成する破断線を容器の内側に押し込むと、破断線が破断して押さえ部が形成される。さらに、表板または裏板より左右の側板にかけて形成された補助押さえ部を形成する破断線を容器の内側に押し込むと、破断線が破断して、補助押さえ部が形成される。この時、押さえ部は容器の内側に円弧状に湾曲した状態になっており、この押さえ部を補助押さえ部がさらに内側に押し込むと共に、この状態を固定する役目も果たしている。この押さえの２重構造により、ティッシュペーパー等の内容物は完全に容器の中で押し上げられた状態になり、自身の重みや弾みによって押し戻されることは無い。
【００１２】
【発明の実施の形態】
本発明の底上げ機能を持つティッシュペーパー等の容器は表板または裏板より左右の側板にかけて、補助押さえ部を形成する前後一対の破断線が形成されている。また、表板または裏板の前記補助押さえ部の内側には、右端部より左端部まで押さえ部を形成する前後一対の破断線が形成されている。この破断線は押さえ部を形成するためのものであり、左右の側板にまで伸びて形成されてもよい。こうすることにより、内容物の種類に応じて、押さえ部の押さえる力を調整できる。
【００１３】
前記押さえ部と補助押さえ部は表板または裏板と左右側板に形成されるのみならず、表板または裏板と前後の妻板にかけて形成することができる。すなわち、補助押さえ部を表板または裏板と前後の妻板にかけて、左右一対の破断線により形成し、押さえ部を補助押さえ部に囲まれた表板または裏板に、左右一対の破断線により形成するのである。この押さえ部を形成する破断線は前後の妻板にまで伸びて形成されてもよい。こうすることにより、内容物の長い面に沿って全体的に押し上げることができるようになる。
【００１４】
破断線は力を作用させることにより破断するものであれば特に限定されず、たとえば、ミシン目、破線とすることができる。
【００１５】
また、本発明の底上げ機能を持つティッシュペーパー等の容器に収容するものとしては、特に限定されず、たとえば、ティッシュペーパー、キッチンタオルなどがある。
【００１６】
本発明による底上げ機能を持つティッシュペーパー等の容器の第１の実施形態を図面を参照して説明する。
【００１７】
図１は底上げ機能を持つティッシュペーパー等の容器の斜視図、図２は底上げ機能を持つティッシュペーパー等の容器の展開図、図３は底上げ機能を持つティッシュペーパー等の容器を破断線により破断し、押さえ部、補助押さえ部を形成した状態の斜視図、図４は図３の状態を側板２４の方向から見た側面図、図５は図３の状態を裏板２３の方向から見た平面図、図６は図３の状態を妻板１１，１３の方向から見た断面図である。
【００１８】
図１および図２において、２１は表板、２３は裏板、２２，２４は側板、１１，１３，３１，３３は妻板であり２５はのりしろである。妻板３１と妻板３３で前方の妻板を構成し、妻板１１と妻板１３で後方の妻板を構成している。
【００１９】
裏板２３には左側板２２にかけて伸びた上下２本のミシン目１，３と、右側板２４にかけて伸びた上下２本のミシン目２，４とによって形成される補助押さえ部が形成されている。そして、裏板２３において、補助押さえ部のミシン目の内側に上下２本のミシン目５，６が左端から右端まで形成されて押さえ部が形成されている。
【００２０】
次に、以上のような底上げ機能を持つティッシュペーパー等の容器における押さえ部と補助押さえ部を形成する動作について説明する。
【００２１】
まず、ミシン目５，６で囲まれた押さえ部を手の先で容器の内側に押し込む。すると、ミシン目５，６が破断して、押さえ部４０が形成される。さらにミシン目１，３及びミシン目２，４を容器の内側に押し込むとミシン目１，３，２，４が破断して補助押さえ部が底板から左右の側板にかけて一対形成される。そしてこの時、押さえ部４０は補助押さえ部によって容器の内側へ湾曲した状態で、深く押し込まれると共に、この状態を固定されたロック状態となる。そのため、押さえ部自体が湾曲状態を変化させるクッション効果、スプリング効果を持つようになり、内容物の残量に応じた変化に柔軟に対応できるので、従来のように何度も底部を押し上げる必要もなく、内容物自体の重みによって押し戻されるということのない底上げ機能を持った容器が出来上がる。
【００２２】
次に、本発明による底上げ機能を持つティッシュペーパー等の容器の第２の実施形態を図７を参照して説明する。図７は底上げ機能を持つティッシュペーパー等の容器の斜視図である。なお、この第２の実施形態は前記第１の実施形態と略同様な構造であるので、同一の部材に関しては同一の符号を付して説明する。
【００２３】
この図に示す底上げ機能を持つティッシュペーパー等の容器は、押さえ部および、補助押さえ部が妻板に略平行ではなく、側板に略平行に形成されている。裏板２３には妻板３３にかけて延びた左右２本のミシン目５３，５４と、妻板１３にかけて伸びた左右２本のミシン目５１，５２で形成される補助押さえ部が上部と下部に形成されている。そして、裏板２３には前記補助押さえ部のミシン目の内側に左右２本のミシン目５５，５６が上端より下端まで形成されており、押さえ部６０を形成している。
【００２４】
まず、ミシン目５５，５６で囲まれた押さえ部を手の先で容器の内側へ押し込む。すると、ミシン目５５，５６が破断して押さえ部６０が形成される。さらに、ミシン目５３，５４およびミシン目５１，５２を内部へ押し込むと、ミシン目５３，５４，５１，５２が破断して、補助押さえ部が形成される。こうすることにより、内容物の長辺に沿って全体的に押し上げることができるようになる。
押さえ部と補助押さえ部の仕組み、効果などは前記第１の実施形態と同様なので、省略する。
【００２５】
【発明の効果】
本発明は以上のように構成したので、手で押さえ部を形成する破断線を容器の内部に押し込み、さらに、補助押さえ部を構成する破断線を内部に押し込めば、きわめて簡単に、確実に底上げ機能を有する容器を形成することができる。そして、これは、平面上において使用する容器のみでなく、垂直面に吊り下げるなどして使用する容器においても同様の効果を発揮するので、内容物の中折れを完全に防止することができる。


【手続補正２】
【補正対象書類名】明細書
【補正対象項目名】符号の説明
【補正方法】追加
【補正の内容】
【符号の説明】
１，２，３，４，５，６    破断線
１１    妻板
１３    妻板
２１    表板
２２    側板
２３    裏板
２４    側板
２５    のりしろ
３１    妻板
３３    妻板
４０    押さえ部
５１，５２，５３，５４，５５，５６    破断線
６０    押さえ部